(57)【要約】 【課題】水平板状を呈する蓄熱板部を所要間隔で積層するに際し、その積層を精度よく然も作業性よく行う。【解決手段】矩形板状の蓄熱板１５２を並設して、水平板状を呈する蓄熱板部１４９を形成する。該蓄熱板部１４９を、所要間隙を隔てて積層する。蓄熱板部１４９を構成する４枚の蓄熱板１５２の四つのコーナ部分１５９が集合する部位に蓄熱板支持部材１５３を介在させる。蓄熱板１５２は、その四つのコーナ部分１５９が隅切りされ円弧状の隅切り面１６１を有する。蓄熱板支持部材１５３は、前記所要間隔に相当する高さを有する台座片１６７の上面部に、位置規制用の柱状片１７０が突設されてなる。台座片１６７の、柱状片１７０の周辺をなす支持面１６９で、４枚の蓄熱板１５２のコーナ部分１５９を下方から支持する。四つの隅切り面１６１が柱状片１７０の側面１７１に当接した状態で、４枚の蓄熱板が、前後方向及び左右方向で相互が当接状態となる。【選択図】図２
2014228231.tif 000002
【特許請求の範囲】
【請求項１】
矩形板状の蓄熱板が、水平面内で、前後方向及び左右方向に並設されることによって、水平板状を呈する蓄熱板部が形成されており、該蓄熱板部が、所要間隔を隔てて積層されてなり、該蓄熱板部を構成する４枚の蓄熱板の四つのコーナ部分が集合する部位に蓄熱板支持部材が介在されてなる蓄熱板部積層構造であって、
前記蓄熱板支持部材は、前記所要間隔に相当する高さを有する間隔保持用の台座片の上面部に、位置規制用の柱状片が突設されてなり、該台座片の、該柱状片の周辺をなす支持面で、前記４枚の蓄熱板の四つのコーナ部分を下方から支持できると共に、該コーナ部分が該柱状片に当接した状態で、該４枚の蓄熱板が、前後方向及び左右方向で相互が当接状態乃至間隙を隔てて向き合う状態を呈する如くなされると共に、該柱状片の高さが前記蓄熱板の上下方向の厚さに等しいか或いはそれよりも小さく設定されていることを特徴とする蓄熱板部積層構造。
【請求項２】
四つのコーナ部分が隅切りされ且つ該コーナ部分の側面が隅切り面として形成されてなる矩形板状の蓄熱板が、水平面内で、前後方向及び左右方向に相互が当接されて並設されることによって、水平板状を呈する蓄熱板部が形成されており、該蓄熱板部が、所要間隔を隔てて積層されてなり、該蓄熱板部を構成する４枚の蓄熱板の四つのコーナ部分が集合する部位に蓄熱板支持部材が介在されてなる蓄熱板部積層構造であって、
前記蓄熱板支持部材は、前記所要間隔に相当する高さを有する間隔保持用の台座片の上面部に、位置規制用の柱状片が突設されてなり、該台座片の、該柱状片の周辺をなす支持面で、前記４枚の蓄熱板の四つのコーナ部分を下方から支持できると共に、前記隅切り面が該柱状片の側面に当接した状態で、該４枚の蓄熱板が、前後方向及び左右方向で相互が当接する如くなされると共に、該柱状片の高さが前記蓄熱板の上下方向の厚さに等しいか或いはそれよりも小さく設定されていることを特徴とする蓄熱板部積層構造。
【請求項３】
前記柱状片の高さが前記蓄熱板の上下方向の厚さよりも小さく設定されることによって、前記四つのコーナ部分が集合する部位に、前記柱状片の上端の上方に固定凹部が形成される如くなされており、又、前記台座片の下面部には、該固定凹部に嵌入し得る固定突部が突設され、該固定突部と前記柱状片の軸線が合致しており、又、該固定突部の突出長さが該固定凹部の深さに等しいか或いはそれよりも小さく設定されており、且つ該固定突部の側面が、前記四つのコーナ部分の前記隅切り面に当接する如くなされていることを特徴とする請求項１又は２記載の蓄熱板部積層構造。
【請求項４】
前記台座片が円板状を呈すると共に前記柱状片が円柱状を呈し、該台座片と該柱状片の軸線が合致していることを特徴とする請求項１又は２記載の蓄熱板部積層構造。
【請求項５】
前記台座片が円板状を呈すると共に、前記柱状片と前記固定突部が円柱状を呈し、該台座片と該柱状片と該固定突部の軸線が合致していることを特徴とする請求項３記載の蓄熱板部積層構造。
【請求項６】
前記台座片が、平面視で正方形状の正方形板状を呈すると共に、前記柱状片が、平面視で正方形状の正方形柱状を呈し、該台座片と該柱状片の、平面視での正方形状の向きが合致しており、且つ、該台座片と該柱状片の軸線が合致していることを特徴とする請求項１又は２記載の蓄熱板部積層構造。
【請求項７】
前記台座片が、平面視で正方形状の正方形板状を呈すると共に、前記柱状片と前記固定突部が共に、平面視で正方形状の正方形柱状を呈し、該台座片と該柱状片と該固定突部の、平面視での正方形状の向きが合致しており、且つ、該台座片と該柱状片と該固定突部の軸線が合致していることを特徴とする請求項３記載の蓄熱板部積層構造。
【請求項８】
前記台座片の上下方向の中間部分が細軸状に形成されていることを特徴とする請求項１〜７の何れかに記載の蓄熱板部積層構造。
【請求項９】
矩形板状の蓄熱板を、水平面内で、前後方向及び左右方向に並設して水平板状を呈する蓄熱板部を形成し、且つ、該蓄熱板部を、所要間隔を隔てて積層可能とするに際し、該蓄熱板部を構成する４枚の蓄熱板の四つのコーナ部分が集合する部位に配設される蓄熱板支持部材であって、
前記所要間隔に相当する高さを有する間隔保持用の台座片の上面部に、位置規制用の柱状片が突設されてなり、該台座片の、該柱状片の周辺をなす支持面で、前記４枚の蓄熱板のコーナ部分を下方から支持できると共に、該コーナ部分が該柱状片に当接した状態で、該４枚の蓄熱板が、前後方向及び左右方向で相互が当接状態乃至間隙を隔てて向き合う状態を呈する如くなされると共に、該柱状片の高さが前記蓄熱板の上下方向の厚さに等しいか或いはそれよりも小さく設定されていることを特徴とする蓄熱板支持部材。
【請求項１０】
四つのコーナ部分が隅切りされ且つコーナ部分の側面が隅切り面として形成されてなる矩形板状の蓄熱板を、水平面内で、前後方向及び左右方向に相互を当接させて並設して水平板状を呈する蓄熱板部を形成し、且つ、該蓄熱板部を、所要間隔を隔てて積層可能とするに際し、該蓄熱板部を構成する４枚の蓄熱板の四つのコーナ部分が集合する部位に配設される蓄熱板支持部材であって、
前記所要間隔に相当する高さを有する間隔保持用の台座片の上面部に、位置規制用の柱状片が突設されてなり、該台座片の、該柱状片の周辺をなす支持面で、前記４枚の蓄熱板のコーナ部分を下方から支持できると共に、前記隅切り面が該柱状片の側面に当接した状態で、該４枚の蓄熱板が、前後方向及び左右方向で相互が当接する如くなされると共に、該柱状片の高さが前記蓄熱板の上下方向の厚さに等しいか或いはそれよりも小さく設定されていることを特徴とする蓄熱板支持部材。
【請求項１１】
前記柱状片の高さが前記蓄熱板の上下方向の厚さよりも小さく設定されることによって、前記四つのコーナ部分が集合する部位に、前記柱状片の上端の上方に固定凹部が形成される如くなされており、又、前記台座片の下面部には、該固定凹部に嵌入し得る固定突部が突設され、該固定突部と前記柱状片の軸線が合致しており、又、該固定突部の突出長さが該固定凹部の深さに等しいか或いはそれよりも小さく設定されており、且つ該固定突部の外面が、前記四つのコーナ部分の前記隅切り面に当接する如くなされていることを特徴とする請求項９又は１０記載の蓄熱板支持部材。
【請求項１２】
前記台座片が円板状を呈すると共に前記柱状片が円柱状を呈し、該台座片と該柱状片の軸線が合致していることを特徴とする請求項９又は１０記載の蓄熱板支持部材。
【請求項１３】
前記台座片が円板状を呈すると共に、前記柱状片と前記固定突部が円柱状を呈し、該台座片と該柱状片と該固定突部の軸線が合致していることを特徴とする請求項１１記載の蓄熱板支持部材。
【請求項１４】
前記台座片が、平面視で正方形状の正方形板状を呈すると共に、前記柱状片が、平面視で正方形状の正方形柱状を呈し、該台座片と該柱状片の、平面視での正方形状の向きが合致しており、且つ、該台座片と該柱状片の軸線が合致していることを特徴とする請求項９又は１０記載の蓄熱板支持部材。
【請求項１５】
前記台座片が、平面視で正方形状の正方形板状を呈すると共に、前記柱状片と前記固定突部が共に、平面視で正方形状の正方形柱状を呈し、該台座片と該柱状片と該固定突部の、平面視での正方形状の向きが合致しており、且つ、該台座片と該柱状片と該固定突部の軸線が合致していることを特徴とする請求項１１記載の蓄熱板支持部材。
【請求項１６】
前記台座片の上下方向の中間部分が細軸状に形成されていることを特徴とする請求項９〜１５の何れかに記載の蓄熱板支持部材。
【発明の詳細な説明】
【技術分野】
【０００１】
本発明は、水平板状を呈する蓄熱板部を所要間隔を隔てて積層してなる蓄熱板部積層構造に関するものであり、又、これを構成するために用いて好適な蓄熱板支持部材に関するものである。
【背景技術】
【０００２】
建物の床下空間に配設される蓄熱装置の一例として特許文献１が開示するものが提案されている。
【０００３】
該蓄熱装置ａは図５２に示すように、筐体ｂ内に蓄熱プレートｃが多数枚収容されていた。該蓄熱プレートｃは薄板状を呈しており、該蓄熱プレートｃの複数枚が、同一平面上に並列配置されることによって、水平板状の蓄熱板部ｄが形成されており、該蓄熱板部ｄが、通気路ｅとなる間隔を置いて複数段に積層されて蓄熱板部積層構造ｆが構成されていた。そして、該蓄熱プレートｃの並列・複層配置を可能とするために、ラック（図示せず）が該筐体ｂ内に組付けられていた。
【０００４】
しかしながら、かかる蓄熱板部積層構造ｆを構成するに際して行われる前記蓄熱プレートｃの並列・複層配置は、前記筐体ｂ内にラックを組付けて行っていたため、このラックの組付けに手間を要する問題があった他、該ラックの組付け精度が悪いと蓄熱プレートｃの並列・複層配置作業を円滑に行うことができず、又、精度のよい蓄熱板部積層構造ｆを形成できない問題があった。
【先行技術文献】
【特許文献】
【０００５】
【特許文献１】特開２００９−５２７６５号公報
【発明の概要】
【発明が解決しようとする課題】
【０００６】
本発明は、主として前記従来の問題点に鑑みて開発されたものであり、蓄熱板を水平状態に並設してなる蓄熱板部を所要間隔を隔てて積層するに際し、該蓄熱板部の形成とその積層を精度よく然も作業性よく行うことを可能とする蓄熱板部積層構造の提供を課題とするものである。又、該蓄熱板部積層構造を構成するために用いて好適な蓄熱板支持部材の提供を課題とするものである。
【課題を解決するための手段】
【０００７】
前記課題を解決するため、本発明は以下の手段を採用する。
即ち、本発明に係る蓄熱板部積層構造の第１の態様は、矩形板状の蓄熱板が、水平面内で、前後方向及び左右方向に並設されることによって、水平板状を呈する蓄熱板部が形成されており、該蓄熱板部が、所要間隔を隔てて積層されてなり、該蓄熱板部を構成する４枚の蓄熱板の四つのコーナ部分が集合する部位に蓄熱板支持部材が介在されてなる蓄熱板部積層構造である。該蓄熱板支持部材は、前記所要間隔に相当する高さを有する間隔保持用の台座片の上面部に、位置規制用の柱状片が突設されてなり、該台座片の、該柱状片の周辺をなす支持面で、前記４枚の蓄熱板の四つのコーナ部分を下方から支持できると共に、該コーナ部分が該柱状片に当接した状態で、該４枚の蓄熱板が、前後方向及び左右方向で相互が当接状態乃至間隙を隔てて向き合う状態を呈する如くなされると共に、該柱状片の高さが前記蓄熱板の上下方向の厚さに等しいか或いはそれよりも小さく設定されていることを特徴とするものである。
【０００８】
本発明に係る蓄熱板部積層構造の第２の態様は、四つのコーナ部分が隅切りされ且つ該コーナ部分の側面が隅切り面として形成されてなる矩形板状の蓄熱板が、水平面内で、前後方向及び左右方向に相互が当接されて並設されることによって、水平板状を呈する蓄熱板部が形成されており、該蓄熱板部が、所要間隔を隔てて積層されてなり、該蓄熱板部を構成する４枚の蓄熱板の四つのコーナ部分が集合する部位に蓄熱板支持部材が介在されてなる蓄熱板部積層構造である。該蓄熱板支持部材は、前記所要間隔に相当する高さを有する間隔保持用の台座片の上面部に、位置規制用の柱状片が突設されてなり、該台座片の、該柱状片の周辺をなす支持面で、前記４枚の蓄熱板の四つのコーナ部分を下方から支持できると共に、前記隅切り面が該柱状片の側面に当接した状態で、該４枚の蓄熱板が、前後方向及び左右方向で相互が当接する如くなされると共に、該柱状片の高さが前記蓄熱板の上下方向の厚さに等しいか或いはそれよりも小さく設定されていることを特徴とするものである。
【０００９】
本発明に係る蓄熱板部積層構造の第３の態様は次の構成を有する。即ち、前記第１又は第２の態様において、前記柱状片の高さが前記蓄熱板の上下方向の厚さよりも小さく設定されることによって、前記四つのコーナ部分が集合する部位に、前記柱状片の上端の上方に固定凹部が形成される如くなされており、又、前記台座片の下面部には、該固定凹部に嵌入し得る固定突部が突設され、該固定突部と前記柱状片の軸線が合致しており、又、該固定突部の突出長さが該固定凹部の深さに等しいか或いはそれよりも小さく設定されており、且つ該固定突部の側面が、前記四つのコーナ部分の前記隅切り面に当接する如くなされていることを特徴とするものである。
【００１０】
本発明に係る蓄熱板部積層構造の第４の態様は、前記第１又は２の態様において、前記台座片が円板状を呈すると共に前記柱状片が円柱状を呈し、該台座片と該柱状片の軸線が合致していることを特徴とするものである。
【００１１】
本発明に係る蓄熱板部積層構造の第５の態様は、前記第３の態様において、前記台座片が円板状を呈すると共に、前記柱状片と前記固定突部が円柱状を呈し、該台座片と該柱状片と該固定突部の軸線が合致していることを特徴とするものである。
【００１２】
本発明に係る蓄熱板部積層構造の第６の態様は、前記第１又は第２の態様において、前記台座片が、平面視で正方形状の正方形板状を呈すると共に、前記柱状片が、平面視で正方形状の正方形柱状を呈し、該台座片と該柱状片の、平面視での正方形状の向きが合致しており、且つ、該台座片と該柱状片の軸線が合致していることを特徴とするものである。
【００１３】
本発明に係る蓄熱板部積層構造の第７の態様は次の構成を有する。即ち、前記第３の態様において、前記台座片が、平面視で正方形状の正方形板状を呈すると共に、前記柱状片と前記固定突部が、平面視で正方形状の正方形柱状を呈し、該台座片と該柱状片と該固定突部の、平面視での正方形状の向きが合致しており、且つ、該台座片と該柱状片と該固定突部の軸線が合致していることを特徴とするものである。
【００１４】
本発明に係る蓄熱板部積層構造の第８の態様は、前記第１〜第７の何れかの態様において、前記台座片の上下方向の中間部分が細軸状に形成されていることを特徴とするものである。
【００１５】
本発明に係る蓄熱板支持部材の第１の態様は、矩形板状の蓄熱板を、水平面内で、前後方向及び左右方向に並設して水平板状を呈する蓄熱板部を形成し、且つ、該蓄熱板部を、所要間隔を隔てて積層可能とするに際し、該蓄熱板部を構成する４枚の蓄熱板の四つのコーナ部分が集合する部位に配設される蓄熱板支持部材であって、前記所要間隔に相当する高さを有する間隔保持用の台座片の上面部に、位置規制用の柱状片が突設されてなり、該台座片の、該柱状片の周辺をなす支持面で、前記４枚の蓄熱板のコーナ部分を下方から支持できると共に、該コーナ部分が該柱状片に当接した状態で、該４枚の蓄熱板が、前後方向及び左右方向で相互が当接状態乃至間隙を隔てて向き合う状態を呈する如くなされると共に、該柱状片の高さが前記蓄熱板の上下方向の厚さに等しいか或いはそれよりも小さく設定されていることを特徴とするものである。
【００１６】
本発明に係る蓄熱板支持部材の第２の態様は、四つのコーナ部分が隅切りされ且つコーナ部分の側面が隅切り面として形成されてなる矩形板状の蓄熱板を、水平面内で、前後方向及び左右方向に相互を当接させて並設して水平板状を呈する蓄熱板部を形成し、且つ、該蓄熱板部を、所要間隔を隔てて積層可能とするに際し、該蓄熱板部を構成する４枚の蓄熱板の四つのコーナ部分が集合する部位に配設される蓄熱板支持部材であって、前記所要間隔に相当する高さを有する間隔保持用の台座片の上面部に、位置規制用の柱状片が突設されてなり、該台座片の、該柱状片の周辺をなす支持面で、前記４枚の蓄熱板のコーナ部分を下方から支持できると共に、前記隅切り面が該柱状片の側面に当接した状態で、該４枚の蓄熱板が、前後方向及び左右方向で相互が当接する如くなされると共に、該柱状片の高さが前記蓄熱板の上下方向の厚さに等しいか或いはそれよりも小さく設定されていることを特徴とするものである。
【００１７】
本発明に係る蓄熱板支持部材の第３の態様は次の構成を有する。即ち、前記第１、第２の態様において、前記柱状片の高さが前記蓄熱板の上下方向の厚さよりも小さく設定されることによって、前記四つのコーナ部分が集合する部位に、前記柱状片の上端の上方に固定凹部が形成される如くなされており、又、前記台座片の下面部には、該固定凹部に嵌入し得る固定突部が突設され、該固定突部と前記柱状片の軸線が合致しており、又、該固定突部の突出長さが該固定凹部の深さに等しいか或いはそれよりも小さく設定されており、且つ該固定突部の外面が、前記四つのコーナ部分の前記隅切り面に当接する如くなされていることを特徴とするものである。
【００１８】
本発明に係る蓄熱板支持部材の第４の態様は、前記第１、第２の態様において、前記台座片が円板状を呈すると共に前記柱状片が円柱状を呈し、該台座片と該柱状片の軸線が合致していることを特徴とするものである。
【００１９】
本発明に係る蓄熱板支持部材の第５の態様は、前記第３の態様において、前記台座片が円板状を呈すると共に、前記柱状片と前記固定突部が円柱状を呈し、該台座片と該柱状片と該固定突部の軸線が合致していることを特徴とするものである。
【００２０】
本発明に係る蓄熱板支持部材の第６の態様は次の構成を有する。即ち、前記第１、第２の態様において、前記台座片が、平面視で正方形状の正方形板状を呈すると共に、前記柱状片が、平面視で正方形状の正方形柱状を呈し、該台座片と該柱状片の、平面視での正方形状の向きが合致しており、且つ、該台座片と該柱状片の軸線が合致していることを特徴とするものである。
【００２１】
本発明に係る蓄熱板支持部材の第７の態様は次の構成を有する。即ち、前記第３の態様において、前記台座片が、平面視で正方形状の正方形板状を呈すると共に、前記柱状片と前記固定突部が共に、平面視で正方形状の正方形柱状を呈し、該台座片と該柱状片と該固定突部の、平面視での正方形状の向きが合致しており、且つ、該台座片と該柱状片と該固定突部の軸線が合致していることを特徴とするものである。
【００２２】
本発明に係る蓄熱板支持部材の第８の態様は、前記第１〜第７の何れかの態様において、前記台座片の上下方向の中間部分が細軸状に形成されていることを特徴とするものである。
【発明の効果】
【００２３】
本発明は以下の如き優れた効果を奏する。
(1) 本発明に係る蓄熱板部積層構造によるときは、前記蓄熱板を前後方向及び左右方向に並設して前記蓄熱板部を構成する際、前記柱状片を定規にして各蓄熱板を位置決めできるため、該蓄熱板を所要に位置決めして敷き並べるのが容易となり、前記蓄熱板部を精度よく然も作業性よく構成できることとなる。又、該蓄熱板部の積層に際し、前記所要間隔の設定を、前記台座片によって精度よく行うことができる。
【００２４】
(2) 又、前記蓄熱板部を構成するに際し、一つの台座片の支持面が４枚の蓄熱板の四つのコーナ部分を同時に支持する。従って本発明によるときは、蓄熱板支持部材の使用個数を少なくして蓄熱板部積層構造を構成できることとなる。例えば図５１に示すように、一枚の蓄熱板１５２の上面１７６の四隅に４個の間隔保持片１６８，１６８，１６８，１６８を介在させて蓄熱板を積層する場合と対比すると、間隔保持のために用いる片（蓄熱板支持部材）の使用個数が１／４で済むことになる。かかることから本発明によるときは、施工コストの低減を期し得ることとなる。
【００２５】
(3) 特に、前記柱状片の高さを前記蓄熱板の上下方向の厚さよりも小さく設定すると共に、該台座片の下面部に固定突部を突設する場合は、下段の蓄熱板部の、前記四つのコーナ部分が集合する部位で、前記柱状片の上端の上方に固定凹部を形成できる。この固定凹部に該固定突部を嵌入することにより、蓄熱板支持部材の水平面内における位置が固定されるため、上段の蓄熱板部をより容易且つ能率的に構成できることとなる。
【００２６】
(4) 又、前記台座片を円板状に構成する場合は、前記横方向空気流路を流れる空気が、前記台座片の円形の側面によって左右に分かれて流れるため、該横方向空気流路を空気が流れる際の抵抗を極力減少させることができる。
又、前記台座片を、平面視で正方形状の正方形板状に構成する場合は、該台座片が、風に向って山形を呈する（前後方向に対して４５度傾斜した山形状面を呈する）如くなし得る。これによって、該横方向空気流路を流れる空気が該山形状面によって左右に分かれて流れるため、該横方向空気流路を空気が流れる際の抵抗を極力減少させることができる。
【００２７】
(5) 前記台座片の上下方向の中間部分を細軸状に形成する場合は、上下の蓄熱板部間の流路を空気が流れる際の抵抗を、該台座片の中間部分が細軸である分だけ減少させ得る。
【図面の簡単な説明】
【００２８】
【図１】本発明に係る蓄熱板部積層構造を説明する部分斜視図である。
【図２】その蓄熱板部積層構造を構成する蓄熱板を示す平面図と、蓄熱板部を構成する４枚の蓄熱板の四つのコーナ部分を蓄熱板支持部材の支持面で支持した状態を示す平面図と、蓄熱板支持部材を示す斜視図である。
【図３】蓄熱装置を説明する側面図である。
【図４】蓄熱槽の内部に蓄熱体が納設されている状態を示す断面図である。
【図５】床下空間に設けた蓄熱装置の全体構成を説明する一部断面平面図である。
【図６】その斜視図である。
【図７】有底箱体の構成を説明する斜視図である。
【図８】有底箱体を床下空間で吊下した状態を示す斜視図である。
【図９】その横断面図である。
【図１０】その縦断面図である。
【図１１】蓄熱槽の底部を示す斜視図である。
【図１２】蓄熱槽の内部に蓄熱体が納設されている状態を示す部分拡大断面図である。
【図１３】蓄熱槽の内部における蓄熱板の配設状態を示す平面図である。
【図１４】その部分斜視図である。
【図１５】その部分斜視図である。
【図１６】その部分斜視図である。
【図１７】蓄熱槽の内部における空気の循環状態と、蓄熱槽からの空気の放出状態を説明する説明図である。
【図１８】蓄熱体に設けられた横方向空気流路における空気の流れ状態を説明する説明図である。
【図１９】建物の空調設備の全体構成を空気の流れ状態と併せて説明する説明図である。
【図２０】建物の空調設備における壁体内部の空気の流れ状態を説明する説明図である。
【図２１】建物の空調設備を構成する建物の内部構成を説明する斜視図である。
【図２２】天井裏空間の空気をエアコン室外機に吸引させる構成を説明する斜視図である。
【図２３】建物の空調設備を構成する屋内の壁体の構造と壁内通気路における空気の流れ状態を説明する斜視図である。
【図２４】蓄熱板の隅切り面の他の態様を示す平面図と、これを用いて構成された蓄熱板部を示す部分平面図である。
【図２５】蓄熱板の隅切り面のその他の態様を示す平面図と、これを用いて構成された蓄熱板部を示す部分平面図である。
【図２６】蓄熱板の隅切り面のその他の態様を示す平面図と、これを用いて構成された蓄熱板部を示す部分平面図である。
【図２７】本発明に係る蓄熱板部積層構造の他の態様を説明する部分斜視図である。
【図２８】その蓄熱板部積層構造を構成する蓄熱板支持部材の他の態様を示す斜視図と、これを用いて構成された蓄熱板部を示す部分平面図である。
【図２９】その蓄熱板支持部材を用いて構成された蓄熱体における、横方向空気流路での空気の流れ状態を説明する説明図である。
【図３０】固定突部を有する蓄熱板支持部材を示す斜視図とその使用状態を示す断面図である。
【図３１】その蓄熱板支持部材を用いて構成された蓄熱板部積層構造を説明する部分斜視図である。
【図３２】固定突部を有する蓄熱板支持部材のその他の態様を示す斜視図である。
【図３３】その蓄熱板支持部材を用いて構成された蓄熱板部積層構造を説明する部分斜視図である。
【図３４】蓄熱板支持部材のその他の態様を示す斜視図である。
【図３５】蓄熱板支持部材のその他の態様を示す斜視図である。
【図３６】蓄熱板支持部材のその他の態様を使用状態で示す平面図である。
【図３７】支持面に係合凹部を有する蓄熱板支持部材を蓄熱板のコーナ部分と共に示す斜視図である。
【図３８】支持面に係合凹部を有する蓄熱板支持部材の他の態様を示す斜視図である。
【図３９】支持面に係合凹部を有する蓄熱板支持部材を用いて構成された蓄熱板部を示す部分平面図と部分断面図である。
【図４０】支持面に係合凸部を有する蓄熱板支持部材を蓄熱板のコーナ部分と共に示す斜視図と、該蓄熱板支持部材を用いて構成された蓄熱板部を示す部分断面図である。
【図４１】支持面に係合凸部を有する蓄熱板支持部材の他の態様を示す斜視図である。
【図４２】前記台座片の上下に係合凸部又は係合凹部を設ける場合の一例を示す断面図である。
【図４３】蓄熱板支持部材のその他の態様を示す斜視図とその使用状態を示す断面図である。
【図４４】蓄熱板支持部材のその他の態様を示す斜視図とその使用状態を示す断面図である。
【図４５】蓄熱板支持部材のその他の態様を示す斜視図とこれを用いて構成された蓄熱板部を示す部分平面図である。
【図４６】蓄熱板支持部材のその他の態様を示す斜視図とこれを用いて構成された蓄熱板部を示す部分平面図である。
【図４７】蓄熱板支持部材のその他の態様を示す斜視図とこれを用いて構成された蓄熱板部を示す部分平面図である。
【図４８】蓄熱板支持部材のその他の態様を示す斜視図とこれを用いて構成された蓄熱板部を示す部分平面図である。
【図４９】蓄熱装置の他の構成を説明する一部欠切斜視図である。
【図５０】蓄熱装置のその他の構成を説明する一部欠切斜視図である。
【図５１】上下の蓄熱板間に間隔保持片を介在させて構成された蓄熱板部積層構造を説明する斜視図である。
【図５２】従来の蓄熱装置における蓄熱板部積層構造を示す断面図である。
【発明を実施するための形態】
【実施例１】
【００２９】
図１〜２において本発明に係る蓄熱板部積層構造１は、矩形板状を呈する蓄熱板１５２が、水平面内で、前後方向及び左右方向に相互が当接されて並設されることによって、水平板状を呈する蓄熱板部１４９が形成されてなり、該蓄熱板部１４９が、所要間隔Ｇを隔てて積層されてなる。そして、該蓄熱板部１４９を構成する４枚の蓄熱板１５２，１５２，１５２，１５２の四つのコーナ部分１５９，１５９，１５９，１５９が集合する部位に蓄熱板支持部材１５３が介在されてなる。前記蓄熱板１５２は、本実施例においては図２（Ａ）に示すように、その四つのコーナ部分１５９，１５９，１５９，１５９が隅切りされ且つ該コーナ部分の側面が隅切り面１６１として形成されている。該隅切り面１６１は、例えば、平面視で円弧状を呈する如く形成されている。
【００３０】
又、前記蓄熱板支持部材１５３は、前記所要間隔Ｇに相当する高さを有する間隔保持用の台座片１６７の上面部に、位置規制用の柱状片１７０が突設されてなり、該台座片１６７の、該柱状片１７０の周辺をなす支持面（前記上面部）１６９で、前記４枚の蓄熱板１５２，１５２，１５２，１５２のコーナ部分１５９，１５９，１５９，１５９を下方から支持できる。そして、前記隅切り面１６１，１６１，１６１，１６１が該柱状片１７０の側面１７１に当接した状態で、該４枚の蓄熱板１５２，１５２，１５２，１５２が、前後方向及び左右方向で相互が当接する如くなされると共に、該柱状片１７０の高さが、前記蓄熱板１５２の上下方向の厚さに等しいか或いはそれよりも小さく設定されている。
【００３１】
図３〜６は、該蓄熱板部積層構造１が、建物の床下空間４に配設された蓄熱装置Ａの構成に応用された場合を示している。
【００３２】
該蓄熱装置Ａは、図３〜６に示すように、角筒状の囲壁部２の上部２９と下部１１６が閉じた箱状を呈する蓄熱槽３が建物の床下空間４に配設されている。該蓄熱槽３の内部５には、図４〜６に示すように、蓄熱体６が納設されると共に該蓄熱槽３の前部７に、エアコン室内機９の吹出口１０が吹出用ダクト１４３を介して連設され、該蓄熱槽３の所要部位には、該蓄熱槽３内の空気を該床下空間４に放出させる空気放出口１１が設けられている。なお図５〜６においては、図４に示されている後述の床部３０が省略されている。そして、該蓄熱槽３の内部５の後部１２には、図５に示すように、前記吹出口１０から前記蓄熱槽３内に吹き出されて後方に移動した空気を反射させて方向転換させるための空気反射部１３が設けられている。又図４、図１２に示すように、前記蓄熱体６には、前記蓄熱槽３内に吹き出された空気を流すための空気流路１５が設けられている。
【００３３】
ここで、かかる蓄熱装置Ａを前記床下空間４に配設する場合の特殊性について説明する。先ず、該床下空間４は例えば図５〜６に示すように、布基礎１６や大引１７、該大引１７を支持する束１９等の各種の構造物が複雑に配置されている空間であるため、該蓄熱装置Ａは、これらを避けて床下空間４に合理的に配設する必要がある。又、該蓄熱装置Ａによって建物の空調をより効果的に行わせるためには、該床下空間４の内面を適宜断熱する必要がある。
【００３４】
これらを踏まえて、本実施例においては例えば図３〜４、図２０に示すように、該床下空間４のコンクリート底面２０と、前記布基礎１６の内の主として外周側に位置するものの内側面２１に、例えば２５〜４５ｍｍ程度の厚さを有する発泡ポリウレタン樹脂の吹付け層２２を形成している。該吹付け層２２は、該コンクリート底面２０上においては例えば２０ｍｍ程度の厚さに設定され、該吹付け層２２の上面部が床下空間４の底部２３を形成している（図３〜４）。又、外周側に位置する布基礎１６の前記内側面２１には、例えば４０ｍｍ程度の厚さの吹付け層２２が形成されている（図２０）。
【００３５】
そして前記蓄熱槽３は、図３〜４に示すように、その下端２５が前記床下空間４の前記底部２３から浮き上がった状態で該床下空間４で吊下状態に配設されており、該吊下は、前記囲壁部２の上端側２６が、前記床下空間４の上部に配設された横架材２７に固定されて行われ、本実施例においては、前記囲壁部２の上部２９が床部３０で閉じられている。
【００３６】
前記蓄熱槽３を構成する前記囲壁部２は、本実施例においては図７〜９に示すように、無垢板、集成板、合板、パーチクルボード、ＭＤＦ等の木質系素材を以て構成されており、前の側板３１と後の側板３２と左右の側板３３，３５の端部相互を釘着等により接合して矩形状枠体として構成されている。そして、該囲壁部２の平面視での略中央部分には、前記大引１７を支持する束１９を収容状態に逃がすための逃がし空間３６を形成する逃がし筒部４２が設けられている。該逃がし筒部４２は、本実施例においては左右方向に長く形成されており、該逃がし筒部４２は、前の側板３７と後の側板３９と左右の側板４０，４１の端部相互を釘着等により接合してなる角筒状を呈しており、その内部空間が前記逃がし空間３６を構成する。そして図９に示すように、該逃がし筒部４２の下端４３と前記囲壁部２の下端４５は同一の水平面内に存しており、該水平面の稍上側部位で、該囲壁部２と該逃がし筒部４２との間を閉じる底板４６が配設されている。図７は、該囲壁部２と該逃がし筒部４２と該底板４６とによって構成された上端開放の有底箱体４９を示す。
【００３７】
該有底箱体４９は、本実施例においては図８〜１０に示すように、大引１７ａとしての横架材２７ａを横切って床下空間４に配設される。そのために、該有底箱体４９の平面視での略中央部分には、該大引１７ａを支持する束１９を逃がすための前記逃がし空間３６を該大引１７ａの下側に形成できるように、前後方向に長い角筒状の前記逃がし筒部４２が設けられているのである。
【００３８】
前記束１９は、図９に示すように、上下方向で伸縮可能な伸縮式束として構成されている。該伸縮式束は例えば同図に示すように、上下に長い角筒部５０の上下端部分に逆ネジのネジ孔部５１，５２が設けられており、該ネジ孔部５１，５２に上下のネジ軸部５３，５５が螺合されている。そして該上下のネジ軸部５３，５５の端部には、例えば板状を呈する上下の取付け片５６，５７が固定されており、該上の取付け片５６は前記大引１７の下面５９に釘着される一方、該下の取付け片５７は、床下空間４の前記コンクリート底面２０に、アクリル系等の接着剤を介して釘着される。該束１９による大引１７ａの高さ調整は、前記角筒部５０を正逆回転させて束の上下長さを所要に設定して行う。
【００３９】
本実施例においては図７において、前記角筒状の囲壁部２の前後左右の側板３１，３２，３３，３５の肉厚、前記角筒状の逃がし筒部４２の前後左右の側板３７，３９，４０，４１の肉厚は夫々、１２ｍｍ程度に設定され、該囲壁部２の前後方向Ｆ１の長さＬ１は１６１９ｍｍ程度に設定されると共にその左右方向Ｆ２の長さＬ２は２６６９ｍｍ程度に設定され、前記逃がし筒部４２の前後方向長さＬ３は１６０ｍｍ程度に設定されると共にその左右方向の長さＬ４は１１２５ｍｍ程度に設定されている。又、前記逃がし空間３６の前後方向の長さＬ５は１２０ｍｍ程度に設定されると共にその左右方向の長さＬ６は１１００ｍｍ程度に設定されており、該逃がし空間３６で、前記大引１７ａの下面５９を支持する束１９を立設状態で収容可能となされている。本実施例においては、図１０に示すように、左右側に２本づつの束１９，１９、１９，１９が収容可能となされている。この束の本数や配置状態は、前記蓄熱体６が収容されてなる前記有底箱体４９の重量を安定的に支持できるように所要に設定される。
【００４０】
又、前記左右の側板３３，３５の上縁側の中央部位には、図７〜８に示すように、前記大引１７ａを嵌め入れ可能な左右の矩形状の嵌入凹部６０，６０が設けられている。そして図８〜９に示すように、前記前後の側板３１，３２の上端側部分６１，６２は、前記横架材２７ａとしての大引１７ａの前後に配設されてなる横架材２７ｂ，２７ｃの対向する側面６３，６５に釘着により固定される。又前記逃がし筒部４２は、前後の側板３７，３９の上端側部分６６，６７が、前記大引１７ａの前後の側面６９，７０に釘着により固定されるものとなされ、前記左右の側板４０，４１は、図７〜８に示すように、その上端７１，７２が該大引１７ａの下面７３に当接する如くなされている。
【００４１】
かかる構成を有する有底箱体４９は、例えば施工現場で、次のように形成できる。図３〜６は、前記床下空間４の内の居間７４の下側をなす区画空間部４ａで前記有底箱体４９を吊下状態に設けた場合を示しており、該有底箱体４９を構成する前記囲壁部２の上端側２６が、該区画空間部４ａの上部に配設された横架材２７に固定されている。
【００４２】
本実施例においては図８〜９に示すように、中央の横架材２７ａとこれに隣り合う前の横架材２７ｂは大引１７ａ，１７ｂとして構成されると共に、後の横架材２７ｃは、寸法調整用間隙７５を隔て且つ土台７６と平行して配設された支持棒材７７として構成されている。該支持棒材７７は、図８〜９においては横断面矩形の角棒状に形成されており、該支持棒材７７と前記土台７６の向き合う側面７９，８０相互が、該支持棒材７７の長さ方向に所要間隔を置いて配設された例えば４枚の連結片８１，８１，８１，８１で連結されている。これによって、該支持棒材７７が前記土台７６に固定されている。そして、該３本の横架材２７ａ，２７ｂ，２７ｃの上端８２，８３，８５は面一の水平面に形成されている。なお前記寸法調整用間隙７５は、前記蓄熱槽３の内部５に前記蓄熱体６を納設状態とするに際して、後述の蓄熱板１５２の寸法と該蓄熱槽３の内部５の前後方向長さとの関係で生ずる前後方向長さの過不足を調整するために設定されている。
【００４３】
そして図８〜９に示すように、前記囲壁部２の前後の側板３１，３２の上端側部分６１，６２を前記前後の横架材２７ｂ，２７ｃの対向する側面６３，６５に釘着すると共に、前記角筒状の逃がし筒部４２の前後の側板３７，３９の上端側部分６６，６７を前記中央の横架材２７ａの前後の側面６９，７０に釘着することにより、前記有底箱体４９が吊下状態に設けられている。該前後の側板３１，３２と該前後の側板３７，３９の上下長さは等しく設定され、例えば４９０ｍｍに設定されている。そして図８〜９に示すように、これらの側板３１，３２，３７，３９の上端を、前記横架材２７ａ，２７ｂ，２７ｃの上端８２，８３，８５と面一状態に位置させてある。詰まり本実施例においては、前記有底箱体４９の吊下作業を前記横架材２７ａ，２７ｂ，２７ｃの該上端を定規にして行っているのである。
【００４４】
又図８に示すように、前記前後の側板３１，３２の左端相互を、前記左の側板３３で連結する。この際、前記中央の横架材２７ａを前記左の嵌入凹部６０に嵌め入れて、該左の側板３３の両端部分を前記前後の側板３１，３２の左端面に当接状態とし、該接合部分を釘着する。そして、前記前後の側板３１，３２の右端相互を、前記右の側板３５で連結する。この際、前記中央の横架材２７ａを前記右の嵌入凹部６０に嵌め入れて、該右の側板３５の両端部分を前記前後の側板３１，３２の右端面に当接させた状態とし、該接合部分を釘着する。又図８〜９に示すように、前記前後の側板３７，３９の左端相互を、前記左の側板４０で連結する。この際、該左の側板４０の両端部分を前記前後の側板３７，３９の左端面に当接させた状態とし、該接合部分を釘着する。そして、前記前後の側板３７，３９の右端相互を、前記右の側板４１で連結する。この際、該右の側板４１の両端部分を前記前後の側板３７，３９の右端面に当接させた状態とし、該接合部分を釘着する。これにより、前後の側板３１，３２と左右の側板３３，３５とからなる前記囲壁部２の下端４５（図９）は同一水平面上に存する。又、前後の側板３７，３９と左右の側板４０，４１とからなる前記逃がし筒部４２の下端４３（図９）は同一水平面上に存する。
【００４５】
前記底板４６は、図９、図１１に示すように、前記角筒状の囲壁部２の下部１１６を閉じるものであり、前記逃がし筒部４２を挿通状態とするための長方形状の開口１１７（図９）が中央部に設けられている。又、該底板４６の下面１１９の、外周縁部分と該開口の周縁部分には、周方向に連続する状態で桟材１２１が矩形状に枠組して釘着により固定されている。そして、該外側の桟材１２１ａが前記囲壁部２の下端部分１２２の内面１２３（図１１）に当接され且つ該下端部分１２２と該桟材１２１ａとが釘着により固定されると共に、前記内側の桟材１２１ｂが前記逃がし筒部４２の下端部分１２５の外面１２６に当接され且つ該下端部分１２５と該桟材１２１ｂとが釘着により固定されている。なお該底板４６の下面１１９は、例えば図１１に示すように、前後方向に延長する補強桟材１２７が左右方向に所要間隔を置いて配設されると共に底板４６に釘着により固定され、前記蓄熱体６を下方から支持できるように該底板４６が補強されている。これによって図８に示すように、平行する前記３本の横架材２７ａ，２７ｂ，２７ｃに前記有底箱体４９が吊下状態とされている。本実施例においては図８に示すように、前記底板４６の縁部側に水抜き孔１２９（例えば孔径が３０ｍｍ程度）が設けられており、該底板４６の上面１３０は、該水抜き孔１２９に向けて１／１００程度の水勾配が設けられている。なお該底板４６は、複数枚の合板を接合して一枚板状に構成できる。
【００４６】
そして本実施例においては図７に示すように、前記囲壁部２を構成する前の側板３１の、左右方向で見た一方の端部側（図７においては右端部側）１３１に、前記エアコン室内機９の吹出口１０を連設するための、左右方向に長い矩形状開口１３２が設けられると共に、前記後の側板３２の中央部位と、前記左の側板３３の後側部位と、前記右の側板３５の後側部位に、前記蓄熱槽３内に吹き出された空気を床下空間４に放出させるための、例えば円形孔としての空気放出口１１，１１，１１が設けられている。
【００４７】
図８は、前記エアコン室内機９の吹出口１０を、吊下状態にある前記有底箱体４９に連結部材１３５を介して連結した状態を示している。該連結部材１３５は、本実施例においては図７に示すように、後端１３６が開放して左右方向に長い扁平な矩形状箱部１３７の後端周縁に、前記矩形状開口１３２の前側の周縁部分１３９と当接し得る固定鍔部１４０が連設されてなる皿状を呈している。そして、該矩形状箱部１３７の前面部１４１の左右部位には連結筒部１４２，１４２が突設されている。図８は、前記固定鍔部１４０を前記周縁部分１３９に当接させ且つビス固定した状態を示す。又同図は、前記エアコン室内機９の前記吹出口１０に連結されてなる２本の吹出用ダクト１４３，１４３の端部分１４５，１４５の夫々に前記連結筒部１４２，１４２を挿入することにより該吹出用ダクト１４３，１４３を前記連結部材１３５に連結した状態を示している。なお該吹出用ダクト１４３，１４３は、蛇腹状のフレキシブル樹脂管を用いて構成するのがよく、該吹出用ダクトの外周面は断熱材で被覆するのが好ましい。
【００４８】
又図８は、空気放出用のファンが内蔵された空気放出具１４６の挿入筒部１４７（図７）を前記空気放出口１１，１１，１１に気密を保持して挿入することによって、該空気放出具１４６を前記有底箱体４９に取り付けた状態を示している。該ファンの風量は例えば３段階に調整できる。
【００４９】
図４、図１２は、前記有底箱体４９内に納設された蓄熱体６を示し、該蓄熱体６は本実施例においては、水平板状を呈する蓄熱板部１４９を、水平状態に拡がる横方向空気流路１５０を相互間に形成するように所要間隔Ｇ（図１２）を置いて積層して構成されている。
【００５０】
前記蓄熱体６は、図１〜２に示す前記蓄熱板積層構造１を応用して構成されており、矩形板状を呈する蓄熱板１５２を前記蓄熱板支持部材１５３を用いて水平に敷き並べて形成された蓄熱板部１４９が、所要間隔を隔てて積層されることによって構成されている。以下、これを具体的に説明する。
【００５１】
前記蓄熱板１５２は、本実施例においては図１、図２（Ａ）に示すように、長辺長さが２９０ｍｍ程度で短辺長さが１９５ｍｍ程度で厚さが２０ｍｍ程度であるポリエチレン等の樹脂製容器や金属製容器内に潜熱蓄熱材を封入して構成されており、その表面（上下の表面）１５６には補強用の凹部１５７が適宜設けられている。又、図示はされていないが、該表面１５６に、適宜の突部が設けられることもある。この凹部１５７や突部は、該蓄熱板１５２の表面積を多くして蓄熱効率を向上させるためにも寄与できると共に、前記横方向空気流路１５０を流れる空気に適度な乱流を発生させ、流れる空気と、該凹部１５７の内面を含む前記表面（伝熱面）１５６との接触を良好として熱交換効率を向上させるためにも寄与できる。そして該潜熱蓄熱材は、物質の相変化に伴って吸収又は放出される潜熱を利用する蓄熱材であるため、顕熱を利用するよりも一定の温度を供給できる時間を長く保持できる利点があって好ましい。
【００５２】
又、前記蓄熱板１５２は、より具体的には図１、図２（Ａ）に示すように、その四つのコーナ部分１５９，１５９，１５９，１５９が隅切りされ、該コーナ部分１５９の側面が、平面視で円弧状（本実施例においては四分割円弧状）を呈する隅切り面１６１として形成されており、各四分割円弧状面１６１ａの曲率半径は２２ｍｍ程度に設定されている。又、一方の短辺側の側面には、その中央部が台形状に凹んで注入用凹部１６２が設けられており、その凹部底面１６３の中央部位に、潜熱蓄熱材を充填するための注入口１６５が設けられている。そして、該注入口１６５から潜熱蓄熱材を充填した後に該注入口が栓体１６６で閉蓋されており、該閉蓋状態において、該栓体１６６は前記注入用凹部１６２に完全に納まっている。前記潜熱蓄熱材としては、例えばチオ硫酸ナトリウム水和物等のような従来公知のものを適宜用いることができ、その相変化温度は、例えば４５〜５０℃に調整され、本実施例では４５℃に設定されている。
【００５３】
又、前記蓄熱板支持部材１５３は、例えば図２（Ｃ）に示すように、前記所要間隔Ｇに相当する高さを有する間隔保持用の台座片１６７（間隔保持片１６８）の上面部（本実施例においては該上面部の中央部）に、位置規制用の柱状片１７０が突設されてなり、該台座片１６７と該柱状片１７０の軸線が合致している。そして、該台座片１６７の、該柱状片１７０の周辺をなす支持面（前記上面部）１６９で、図１、図２（Ｂ）に示すように、前記蓄熱板１５２のコーナ部分１５９を下方から支持でき、該支持状態で、前記隅切り面１６１（円弧状面１６１ａ）が該柱状片１７０の円形の側面１７１に当接し得る。本実施例においては、該台座片１６７は、直径が４０ｍｍの円板状に形成されており、その高さは１５ｍｍに設定されている。又、前記柱状片１７０は、直径が１８ｍｍの円柱状に形成され、その高さは、前記蓄熱板１５２の上下方向厚さに等しいか、それより小さく設定されている。本実施例においては等しく設定されている。
【００５４】
前記構成を有する蓄熱板積層構造１においては、図１〜２に示すように、隣り合う蓄熱板１５２，１５２の短辺側の側面１７２，１７２相互及び、長辺側の側面１７３，１７３相互が当接されている。即ち、４枚の蓄熱板１５２が、前後方向Ｆ１及び左右方向Ｆ２で相互が当接されている。そしてこの状態において、前記蓄熱板部１４９を構成する４枚の蓄熱板１５２，１５２，１５２，１５２の四つのコーナ部分１５９，１５９，１５９，１５９が前記支持面１６９で下方から支持されると共に、前記隅切り面１６１，１６１，１６１，１６１が該柱状片１７０の側面１７１に当接した状態にある。これによって、蓄熱板部１４９を構成する各蓄熱板１５２が所要に位置決めされて敷き並べられた状態となっている。詰まり本実施例においては、該柱状片１７０を定規にして各蓄熱板１５２を位置決めされた状態にできるということである。そして図１の右側部分には、前記蓄熱板支持部材１５３を介して、同様にして前記蓄熱板１５２を２段積みした状態が示されている。
【００５５】
図４、図１２は、多数の蓄熱板１５２を前記のように敷き並べて構成された蓄熱板部１４９を前記有底箱体４９の前記収容空所１７４に納設して構成された蓄熱体６を示すものであり、前記蓄熱板積層構造１が用いられている。
【００５６】
該蓄熱体６を構成する要領の一例を説明すれば、図１２、図１に示すように、前記底板４６の上面１３０上で、前記蓄熱板支持部材１５３を介して、前記のようにして前記蓄熱板１５２を前後方向Ｆ１及び左右方向Ｆ２に並設することにより、水平板状を呈する１段目の蓄熱板部１４９を構成する。なお図１２、図１においては、該蓄熱板部１４９の前後方向Ｆ１及び左右方向Ｆ２で見た端縁側１７５，１７８にも前記蓄熱板支持部材１５３を配置している。
【００５７】
次に、図１２、図１に示すように、該１段目の蓄熱板部１４９の上面１７６上において、前記蓄熱板支持部材１５３を介して蓄熱板１５２を並設することにより、水平板状を呈する２段目の蓄熱板部１４９を構成する。このとき該蓄熱板支持部材１５３は、その台座片１６７の下面１５１（図１）が該上面１７６に当接して該上面１７６に安定設置される。そして本実施例においては図１に示すように、２段目の蓄熱板支持部材１５３の軸線Ｌ７を、１段目の蓄熱板支持部材１５３の軸線Ｌ８と合致させている。又、前記上下の注入用状凹部１６２，１６２が上下方向で連通する如くなされている。これによって、水平板状を呈する上下の蓄熱板部１４９，１４９相互間に、前記台座片１６７が間隔保持片１６８として機能し、上下方向に前記所要間隔（本実施例においては、１５ｍｍ程度の間隔）Ｇが形成される。なお該所要間隔Ｇは、前記蓄熱板１５２の表面１５６に凹部１５７（図１）が形成されているために各部で若干相違する。該所要間隔Ｇによって、上下の蓄熱板部１４９，１４９相互間に、水平状態に拡がる前記横方向空気流路１５０が形成される。３段目以降の蓄熱板部１４９を同様にして積層することにより、前記有底箱体４９の収容空所１７４に、図４、図１２に示すように蓄熱体６を納設状態にできる。なお本実施例においては、前記１段目の蓄熱板部１４９を、前記上面１３０から、前記蓄熱板支持部材１５３を介して稍浮き上げているが（１５ｍｍ程度浮き上げている）、これは、夏期等において蓄熱槽３内で結露が発生したときに結露水を流下させるための結露水排水路１７７を、前記蓄熱体６の下端下方に形成するためである。そのために前記上面１３０には、前記のように水勾配が設けられ、又、水抜き孔１２９（図７、図１１）が設けられている。
【００５８】
該蓄熱板部１４９の段数は、本実施例においては１２段に設定されており、図１２に示すように、最上段の蓄熱板部１４９ａの上面１８０は、前記大引１７の上面８１よりも若干下方に位置している。又図１３に示すように、前記逃がし筒部４２の前後の側板３７，３９の外面１９７，１９９に、前記蓄熱板１５２の長辺側の側面１７３が接近状態になると共に、該逃がし筒部４２から外れた、前記中央の大引１７ａの下面５９の下側には、図４に示すように、前記蓄熱板１５２の１枚分を配置できるスペースが設けられている。より具体的には、前記逃がし筒部４２を挾んだ状態にある前後の蓄熱板１５２，１５２間の間隙Ｌ９（図１３）が該蓄熱板１５２の前記短辺長さに略等しく設定されている。
【００５９】
又本実施例においては、図１３、図１に示すように、前記蓄熱板部１４９の前後方向Ｆ１及び左右方向Ｆ２で見た端縁側１７５，１７８にも前記蓄熱板支持部材１５３が配置されており、前記蓄熱板支持部材１５３の前記台座片１６７の支持面１６９で、例えば図１に符号１８７で示すように、二つのコーナ部分１５９，１５９が支持されている。なお図１においては、前記凹部１５７及び束１９の図示が省略されている。
【００６０】
該端縁側１７５，１７８に配置される前記蓄熱板支持部材１５３は、前記蓄熱板積層構造１を構成するための機能は有しておらず、該端縁側１７５，１７８を支持するために用いられているに過ぎない。
【００６１】
従って本実施例においては、図１３に示すように、前記囲壁部２の前記前後の側板３１，３２の内面１８７，１８９と、これと対向する前記蓄熱板部１４９の前後の側端面１９０，１９１との間、前記左右の側板３３  ，３５の内面１９２，１９３と、これと対向する前記蓄熱板部１４９の左右の側端面１９５，１９６との間、前記逃がし筒部４２の前後の側板３７，３９の外面１９７，１９９と、これと対向する前記蓄熱板部１４９の前後の側端面２００，２０１との間、該逃がし筒部４２の左右の側板４０，４１の外面２０２，２０３と、これと対向する前記蓄熱板部１４９の左右の側端面２０５，２０６との間に、夫々、２０ｍｍ程度の間隙２０７が形成されている。
【００６２】
又本実施例においては、図６、図１３に示すように、前記矩形状開口１３２に面する側において、左右方向で見て３枚の蓄熱板１５２が上下方向の全体に亘って取り外された状態とされて前側の連通空間２０９が形成されており、該矩形状開口１３２の全体が該前側の連通空間２０９に連通するようになされている。これによって、各段の前記横方向空気流路１５０の前端２１０（図１）の夫々が該前側の連通空間２０９に連通状態にある。なお本実施例においては、該前側の連通空間２０９の前後方向の幅は前記蓄熱板１５２の短辺長さに等しく１９５ｍｍ程度に設定されると共に、その左右方向の幅は前記蓄熱板１５２の長辺長さの３倍に等しい８７０ｍｍ程度に設定されている。又、前記空気放出口１１，１１に面する部分においては１枚の蓄熱板１５２が、上端から該空気放出口１１の下端に至る部分で取り除かれた状態とされることによって混合空間２１１が設けられ、該空気放出口１１が該混合空間２１１に連通するようになされている。なお図５においては、該前側の連通空間２０９と該混合空間２１１が存する部分を、便宜上、斜線を付して示している。
【００６３】
図３〜４は、前記並設された横架材２７ａ，２７ｂ，２７ｃ上に床部３０を張設した状態を示している。同図に示されているように、該床部３０の張設によって、前記囲壁部２の上部２９と下部１１６が該床部３０と前記底板４６で閉じられてなる箱状の蓄熱槽３が構成され、該蓄熱槽３の内部に蓄熱体６が納設状態とされている。該蓄熱槽３は前記床下空間４において吊下状態にあり、前記矩形状開口１３２には、図５に示すように、前記連結部材１３５と前記吹出用ダクト１４３，１４３を介して、前記エアコン室内機９の吹出口１０が連設されている。
【００６４】
そして該蓄熱槽３の内部５には、図４、図１２に示すように、前記エアコン室内機９の吹出口１０から該蓄熱槽３内に吹き出された空気を流すための前記空気流路１５が設けられている。該空気流路１５の一つは、上下の蓄熱板部１４９，１４９相互間に形成された前記横方向空気流路１５０（図４、図１２）である。又、前記注入用凹部１６２が上下方向に連通して形成された、垂直状態を呈する縦方向空気流路２１２（図１２）である。又、図１３、図１４〜１５に示されている、前記蓄熱体６と、前記有底箱体４９の前後左右の側板３１，３２，３３，３５の内面１８７，１８９，１９２，１９３との間に形成された上下方向に連通した垂直状態を呈する縦方向空気流路２１２であり、又、図１６に示されている、前記蓄熱体６と、前記逃がし筒部４２の前後左右の側板３７，３９，４０，４１の外面１９７，１９９，２０２，２０３との間に形成された、上下方向に延長する縦方向空気流路２１２である。該縦方向空気流路２１２は、上下方向に多段に設けられた前記横方向空気流路１５０を連通させる。なお図１４〜１６においては、前記凹部１５７の図示が省略されている。
【００６５】
然して、前記エアコン室内機９を稼動させて前記蓄熱体６を加熱する場合を説明すれば、図１７、図３〜６、図１２において、該エアコン室内機９の吹出口１０から前記前側の連通空間２０９に、前記２本の吹出ダクト１４３，１４３の出口２１３，２１３から温風（例えば５０℃程度の温風）が吹き出される。該吹き出された温風は、該前側の連通空間２０９で分散されて、前記の各段の横方向空気流路１５０にその前端２１０（図１）から流入する。該横方向空気流路１５０に流入した温風は、前記逃がし筒部４２に殆ど妨げられない状態で後方に移動し、前記蓄熱槽３内部の後部の前記空気反射部１３で反射されて方向転換される。
【００６６】
より具体的には図１７に示すように、前記前側の連通空間２０９に吹き出された温風は、各段の横方向空気流路１５０にその前端２１０から流入され、前記逃がし空間３６を形成する前記逃がし筒部４２と前記囲壁部２の右側部分２ａとの間の移動流路３８を後方に向けて移動する（矢印ｆ１）。この際、前記蓄熱板支持部材１５３の前記台座片１６７は、本実施例においては円板状に形成されているため、図１８に示すように、前記横方向空気流路１５０を流れる空気は、前記台座片１６７が存する部分では、その円形外面１７１に案内されて左右に分かれて流れる。これによって、該横方向空気流路１５０を空気が流れる際の抵抗を極力減少させることができる。なお図１８においては、便宜上、前記蓄熱板１５２の表面の前記凹部１５７が省略されている。
【００６７】
このように後方に移動した温風は、本実施例においては図１７に示すように、前記矩形状開口１３２と前後対向状態にある前記空気反射部１３に当った後、該空気反射部１３で反射されて方向転換され、前記逃がし筒部４２と前記囲壁部２の後側部分２ｂとの間の移動流路３８を左方向に移動する（矢印ｆ２）。このように左方向に移動した温風は、前記蓄熱槽３の内部５の左側面部２１５に当たって前方向に方向転換され、前記逃がし筒部４２と前記囲壁部２の左側部分２ｃとの間の移動流路３８を前方に移動する（矢印ｆ３）。その後、該内部５の前面部２１６に当たって右方向に方向転換され、前記逃がし筒部４２と前記囲壁部２の前側部分２ｄとの間の移動流路３８を、前記前側の連通空間２０９に向けて移動する（矢印ｆ４）。その後は、該前側の連通空間２０９からの横方向空気流路１５０内への後方向に向けての温風の流れ作用によって、後方向に方向付けされて移動する（矢印ｆ１）。その後は、前記と同様にして前記空気反射部１３で反射されて左方向に移動する（矢印ｆ２）。これによって本実施例においては、各段の横方向空気流路１５０で、図１７に矢印で示す方向の温風の循環が生ずることになる。
【００６８】
本実施例においては、前記吹出口１０から前記蓄熱槽３内に吹き出された温風が、前記逃がし筒部３６と前記囲壁部２との間に形成されている移動流路３８を移動するのである。このように前記逃がし筒部４２は、前記束１９を逃がすための逃がし空間３６を形成するだけでなく、空気を所要方向に移動させるためのガイドとしての役割も果たす。
【００６９】
かかる温風の良好な循環によって、該温風の保有熱が、各蓄熱板１５２の、主として上の表面１５６ａ及び下の表面１５６ｂ（図１２、図１）に、より均一状態に付与され、封入されている前記潜熱蓄熱体が加熱されて、伝熱効率の向上が図られることとなる。そして本実施例においては、このように蓄熱板部１４９を、上下方向に所要間隔を置いて多段に積層しているため、蓄熱体６全体としての熱交換の面積が大きく、従って該蓄熱体６に効率的に蓄熱させ得ることとなる。
【００７０】
又、前記のように、蓄熱板１５２の表面１５６の凹部１５７（図１）は、該蓄熱板１５２の表面積を多くして蓄熱効率を向上させるために寄与できると共に、前記横方向空気流路１５０を流れる空気に適度な乱流を発生させて、流れる空気と該凹部１５７の内面を含む前記表面（伝熱面）１５６との接触を良好にでき、熱交換効率を向上させるために寄与できる。
【００７１】
なお本実施例においては前記したように、縦方向空気流路２１２が設けられているため、蓄熱槽３内の温風は該縦方向空気流路２１２を介して上下方向でも移動できる（図１２）。これによって、温風の保有熱を前記蓄熱板１５２の側面１７２，１７３（図１）にも付与でき、前記潜熱蓄熱材をより効率的に加熱できることになる。又、図１２に示すような、これらの縦方向空気流路２１２における上下方向の温風の移動によって、各段の横方向空気流路１５０内の空気が混合されることともなる。これによって、蓄熱体６の全体を極力均一状態に加熱でき、該蓄熱体６に蓄熱させることができる。この蓄熱は、電気料金の安価な夜間電力時間帯に行うのがよい。
【００７２】
かかる温風による前記蓄熱体６の蓄熱の際、前記蓄熱槽３内に導入された温風の一部は前記空気放出口１１，１１，１１から放出される。該空気放出口１１，１１，１１からの温風の放出量は、前記空気放出具１４６，１４６，１４６の前記ファンを停止状態にして行うのがよい。該ファンを停止状態にしても、該空気放出具１４６が該ファンで完全に遮蔽されるわけではなく、該ファンの周囲の隙間から幾らかの温風が放出される。これによって、前記床下空間４に幾らかの温風を導入できる。なお、該ファンを所要の回転速度で回転させることによって、該空気放出口１１からの温風放出を強制的に行わせることもできる。又、このように蓄熱体６の蓄熱を行っている間において、前記空気放出口１１からの温風の放出量が比較的少ない場合は、例えば図５に一点鎖線で示すように、前記蓄熱槽３内の空気の一部を戻し管２１８を介して前記エアコン室内機９の吸込口２１９（図５）に流入させることもある。
【００７３】
昼間においては、前記エアコン室内機９の稼働を停止させ、これを送風状態にする。この送風によって、前記蓄熱槽３内に吹き出された常温の空気は、前記空気流路１５を通る際に、前記蓄熱体６が放熱する潜熱等の熱を与えられて温風となり、該蓄熱槽３内に吹き出された空気の一部が前記空気放出口１１，１１，１１から温風となって放出される。特に本実施例においては前記空気放出具１４６がファンを具えるため、該ファンを回転させることにより、前記エアコン室内機９の吸込口２１９（図５）への空気の流入量を増大させて前記蓄熱槽３内により多くの空気を流入させることができるため、該空気放出口１１，１１，１１を通しての温風の放出量をより増大させることができる。
【００７４】
本実施例においては、このように、前記空気放出具１４６のファンの回転数や前記エアコン室内機９のファンの回転数を調節することによって前記空気放出口１１からの空気の放出量を所要に調節できることから、部屋の温度が上がってきた場合はこれらのファンをゆっくり回転させることとし、一方、部屋の温度が下がってきた場合はこれらのファンの回転数を上げるといった調節が可能である。なお、前記空気放出具１４６のファンを回転させる場合、前記エアコン室内機９をオフ状態にして送風させないこともある。このオフ状態においても、前記吸込口２１９に流入された空気は該エアコン室内機９を素通りできる。
【００７５】
そして図４に示すように、前記蓄熱槽３の上部２９は床部３０で閉じられた状態にあるため、該床部３０は、前記蓄熱体６からの放熱や、前記蓄熱槽３内に吹き出された温風によって加温され、居間やその周辺の部屋の床暖房が図られ、居間等が間接的に加温されることとなる。
【００７６】
かかる構成を有する蓄熱装置１は、本実施例においては、図１９〜２０に示す建物２２４、例えば二階建て住宅である建物２２４の空調設備（以下、空調設備という）２２０に応用されており、図４〜６に示すように、床下空間４の内の、居間の下側をなす区画空間部４ａに吊下状態に配設されている。該空調設備２２０は、図４に示すように、大引１７を含む平行する３本の横架材２７，２７，２７に前記有底箱体４９の上端側２２１が固定されることにより吊下されている。
【００７７】
そして、前記３個の空気放出口１１，１１，１１の夫々は、本実施例においては図５〜６、図１７に示すように、布基礎１６の途切れた部分（床下空間４で人が通る部分）２２２に向けて空気を放出できるように配置されている。これによって、図１７に矢印で示すように、前記居間に隣り合う部屋の下側をなす区画空間部４ｂ，４ｃ，４ｄに温風を流入させることができ、この温風を床下空間４に拡散させ得る。本実施例においては、前記蓄熱体６に蓄熱された熱の放熱を促進させるために前記の各空気放出口１１に、ファン内蔵の前記空気放出具１４６が接続されている。そして温風の放出量は、該ファンの回転の強弱によって調節できる。なお該空気放出具１４６の先端出口２２３は、前記途切れた部分２２２内に位置させてもよく、又、前記区画空間部４ｂ，４ｃ，４ｄ内に位置させてもよい。このように構成する場合も、前記空気放出口１１が前記途切れた部分２２２に向けて空気を放出させることに該当する。
【００７８】
そして、前記空気放出口１１，１１，１１から床下空間４に放出された温風は、本実施例においては図１９〜２１に示すように、建物２２４の内部空間２２５を通して上昇し、最終的に、二階の天井裏空間２２６に流入される如くなされている。そして、図５、図１９、図２１に示すように、該天井裏空間２２６の空気の一部が第１の縦ダクト２２７を介して、建物２２４の外部に設置されたエアコン室外機２２９の吸込口２３０に流入される一方、該天井裏空間２２６の残余の空気が第２の縦ダクト２３１を介して前記エアコン室内機９の吸込口２１９に流入される如くなされている。該一部の空気と該残余の空気の体積割合の一例は、該残余の空気の割合が大きく設定され、１対３乃至１対６程度とされる。又図５に示すように、外周側の布基礎１６ａには、前記残余の空気をエアコン室外機２２９の吸込口２３０に流入させる（即ち、屋外に排気する）関係で、その排気量に見合う量の外気を床下空間４に導入させるための外気導入孔２３２が設けられている。なお、該外気導入孔２３２にダンパーを設け、該床下空間４への外気の導入時にのみ該ダンパーが開くように構成してもよい。
【００７９】
前記第２の縦ダクト２３１は、本実施例においては図２１〜２２に示すように、現場施工で枠組みして形成した木製の角筒状ダクトを以て構成されており、その上端２３３は前記天井裏空間２２６で開放され、その下端部分２３５の側面部には開口２３６（図２２）が設けられている。そして該下端部分２３５には、該開口２３６を外側から覆うように、前記連結部材１３５と同様構成の連結部材２３７が取り付けられており、該連結部材２３７の外面で突設された２つの連結筒部２３９，２３９に、２本の吸込ダクト２４０，２４０の端部分が連結されている。該吸込ダクト２４０，２４０は、例えば、蛇腹状のフレキシブル樹脂管を以て構成されており、その外周面は断熱材で被覆されている。
【００８０】
前記第１の縦ダクト２２７は例えば、内径が１００〜２００ｍｍ（本実施例においては１５０ｍｍ）の円筒状の樹脂管を以て構成されており、図２１〜２２に示すように、前記第２の縦ダクト２３１内に上下方向に延長する如く収容されている。該第１の縦ダクト２２７の上端２４２は前記天井裏空間２２６で開放されると共に、その下端２４３（図２２）には延長管２４５が連設され、該延長管２４５の先側管部２４６は、図２２に示すように前記外周側の布基礎１６ａを貫通し、その外端２４７が、前記エアコン室外機２２９の背面２４９に設けられている吸込口２３０に連なるようになされている。
【００８１】
本実施例においては、図２２に示すように、該エアコン室外機２２９は、４０ｃｍ程度の高さを有する架台２５０上に設置されているため、該外端２４７から排出された空気を前記吸込口２３０に円滑に吸い込ませることができるようにガイド部材２５１を用いている。該ガイド部材２５１は、図２２（Ｂ）に示すように、その下側部分が、該外端２４７に向けて開口するコ字状枠部２５２とされ、その上側部分は、該コ字状枠部２５２の対向する側片２５３，２５３のみが上方に延長されてガイド側片２５５，２５５とされ、該ガイド側片２５５，２５５の外面が前記背面２４９に略当接状態となされている。かかる構成を有するガイド部材２５１は、例えば前記コ字状部２５２の底部２５６で、前記架台２５０にビス固定によって固定される。
【００８２】
なお図２２（Ｂ）においては、両ガイド側片２５５，２５５の上端相互が覆い片２５７で連結されており、両ガイド側片２５５，２５５間を上昇する空気が前記吸込口２３０に確実に吸い込まれるようになされている。なお、図２２（Ｂ）に示すように、前記コ字状部２５２の底部２５６を、その下端２５６ａからその上端２５６ｂに向けて傾斜し且つ該上端２５６ｂが前記背面２４９に近接する傾斜面２６４として構成するときは、前記外端２４７から排出された空気を、図２２（Ｂ）に矢印で示すように該傾斜面２６４を上昇させて、前記吸込口２３０に、より円滑に吸い込ませることができて好ましい。
【００８３】
然して、図２２（Ａ）に示すように、前記先側管部２４６の外端２４７を前記コ字状部２５２の溝部２５８内に稍挿入状態にすると、前記エアコン室外機２２９の前記吸込口２３０における吸込み作用によって、図２２（Ａ）に示すように、前記天井裏空間２２６の空気の一部が前記第１の縦ダクト２２７と前記延長管２４５を介して前記吸込口２３０に速やかに吸い込まれることになる。なお、該天井裏空間２２６の空気は直接屋外に放出してもよいのであるが、本実施例においては、該空気の温度が、暖房時においては外気温よりも高いことに鑑み、該天井裏空間２２６の空気を前記吸込口２３０に吸い込ませてその保有熱を前記エアコン室外機２２９で回収することとし、全体としての熱効率の向上を図っている。
【００８４】
前記空調設備２２０は、前記蓄熱装置１の前記空気放出口１１から放出された空気を、建物２２４の前記内部空間２２５を通して上昇させ、建物の最上部の天井裏空間（本実施例においては二階の天井裏空間）２２６に流入させるものである。そのために本実施例においては、図２０〜２１、図２３に示すように、前記空気放出口１１から放出された空気と前記床下空間４に導入された外気との混合空気を、一階の屋内の壁体２５９を支持する土台７６を欠切状態にして形成した欠切状部２６０（図２０、図２３）を通して、該壁体２５９内に流入させ、該壁体２５９の上端側２６１で、一階の天井裏空間２６２に流入させる。そして、該一階の天井裏空間２６２内の空気を、梁２６３を欠切して形成した欠切状部２６５を通して二階の屋内の壁体２６６内に流入させ、該二階の壁体２６６の上端側２６７で、二階の天井裏空間２２６に流入させる。
【００８５】
本実施例においては図２０に示すように、前記一階の壁体２５９と前記二階の壁体２６６は共に、その内部に、上方に向けて空気を移動させる壁内通気路２６９，２７０が形成されている。そして該一階と二階の壁体２５９，２６６をその同一の側部（図２０における左側部）について見た場合、図２０（Ｄ）に示すように、一階の壁体２５９の下端面部２７１には、前記土台７６の上角部分を欠切状態にして形成した欠切状部２６０に連通する空気流入開口２７３が設けられている。これによって、前記床下空間４の空気を該欠切状部２６０を通して前記一階の壁体２５９の前記壁内通気路２６９に流入させることができる。又図２０（Ｃ）に示すように、二階の壁体２６６の下端面部２７５には、前記梁２６３の上角部分を欠切状態にして形成した欠切状部２６５に連通する空気流入開口２７７が設けられている。これによって、前記一階の天井裏空間２６２の空気を該欠切状部２６５を通して前記二階の壁体２６６の前記壁内通気路２７０に流入させることができる。
【００８６】
又、前記一階の壁体２５９の上端側２６１には、前記壁内通気路２６９を前記一階の天井裏空間２６２に連通させるための空気排出開口２７９（図２０（Ｃ）、図２３）が設けられており、又、前記二階の壁体２６６の上端側２６７には、前記壁内通気路２７０を前記二階の天井裏空間２２６に連通させるための空気排出開口２８０（図２０（Ｂ）、図２３）が設けられている。該空気排出開口２７９，２８０は、図２０においては、一側の壁面部２８１，２８１に設けられているが、該空気排出開口２７９，２８０が該一階の壁体２５９と該二階の壁体２６６の耐震性を阻害しない限り、これらを設ける部位や設け方に制約はない。
【００８７】
ここで、図１９〜２０に基づいて、建物２２４の内部空間２２５を通しての空気の流れ状態を説明する。前記床下空間４の空気は、前記欠切状部２６０を通して前記一階の壁体２５９の前記壁内通気路２６９に流入し、その後、前記空気流出開口２７９から一階の天井裏空間２６２に流入する。該一階の天井裏空間２６２の空気は、前記梁２６３に設けた前記欠切状部２６５を通して、前記二階の壁体２６６の前記壁内通気路２７０に流入し、その後、前記空気流出口２８０から前記二階の天井裏空間２２６に流入する。加えて、本実施例においては図１９に示すように、前記床下空間４の空気が、一階の例えば居室２８３の床部２８４に設けた空気流入口２８５を通して該居室２８３に流入し、この流入した空気が、該居室２８３の天井部２８６に設けた空気流出口２８７を通して一階の天井裏空間２６２に流入する。その後、該天井裏空間２６２の空気が、二階の例えば居室２８８の床部２８９に設けた空気流入口２９０を通して該居室２８８内に流入し、然る後、該居室２８８の天井部２９１に設けた空気流出口２９２を通して、二階の天井裏空間２２６に流入する。
【００８８】
本実施例においては図１９に示すように、前記一階の居室２８３及び前記二階の居室２８８について、前記床部２８４，２８９に設けた空気流入口２８５，２９０と、天井部２８６，２９１に設けた空気流出口２８７，２９２とが、居室の同一側ではなく対向側に位置をずらして設けられている。且つ、一階の天井部２８６の空気流出口２８７と二階の床部２８９の空気流入口２９０も、天井裏空間２６２において対向側に位置をずらして設けられている。これらによって、一階の居室２８３及び二階の居室２８８において、空気流入口２８５，２９０から空気流出口２８７，２９２に向う斜め方向の気流が生ずるため、該居室２８３，２８８をより効果的に温めることができる。又、空気流入口２８５，２９０と空気流出口２８７，２９２とがこのように位置をずらして設けられていることから、一階の居室の音が二階の居室に抜けにくくなる効果もある。
【００８９】
そして前記のように、二階の天井裏空間２２６の空気は、前記第１の縦ダクト２２７と前記第２の縦ダクト２３１に流入する。該第１の縦ダクト２２７に流入した空気は、前記のように、前記延長管２４５（図２２）を介して、前記エアコン室外機２２９の吸込口２３０に吸い込まれる。このように、天井裏空間２２６の空気の一部が前記エアコン室外機２２９を介して屋外に排出される結果、それに見合う量の外気が前記外気導入孔２３２を通して前記床下空間４に流入する。又、前記第２の縦ダクト２３１内に流入した前記二階の天井裏空間２２６の空気は、図６に示すように、前記吸込ダクト２４０，２４０を介して前記エアコン室内機９の吸込口２１９（図５）に吸い込まれ、前記吹出ダクト１４３，１４３を介して前記蓄熱槽３内に吹き出される。そして、該エアコン室内機９の吹出口１０から該蓄熱槽３内に温風が吹き出された場合は、前記蓄熱体６に温熱を蓄熱できる。一方、前記蓄熱体６が蓄熱状態において該蓄熱槽３内に常温の空気が吹き出された場合は、該空気は、該蓄熱体６が放出する熱を与えられて温風となって前記空気放出口１１から床下空間４に放出される。
【００９０】
このようにして床下空間４に放出された温風は、該床下空間に気流を生じさせるため、該温風を該床下空間４の広い範囲に拡散させることができる。そして、該温風と、前記外気導入孔２３２を通して該床下空間４に導入された新鮮な外気とは適宜混合される。混合された温風は、前記したように、前記土台７６の欠切状部２６０を通して前記一階の壁体２５９の前記壁内通気路２６９に流入する（図２０）。その後における温風の流れ状態は前記したところと同様であり、建物２２４内で空気の循環が生じ、建物は、新鮮な外気によって必要な換気が施される。そして、前記床下空間４の空気や前記壁内通気路２６９，２７０の空気、前記天井裏空間２６２，２２６の空気が夫々熱源になって部屋を温めることができる。
【００９１】
ここで、前記蓄熱装置１を温風発生装置として用いて建物２２４を暖房する場合における各部の温度を図１９に基づいて例示すれば次の通りである。エアコン室内機９の吹出口１０から吹き出される空気の温度が４０〜６０℃程度で、蓄熱体６の温度が２６〜５０℃程度、床下空間４の温度が２６〜５０℃程度、一階の居室２８３の温度が２０〜２４℃程度、一階の天井裏空間２６２の温度が２０〜２４℃程度、二階の居室２８８の温度が１８〜２２℃程度、二階の天井裏空間２２６の温度が１８〜２２℃程度である。
【００９２】
なお本実施例においては、前記蓄熱槽３を床下空間４で吊下するため、該蓄熱槽３の下端２５と該床下空間４の底部２３との間の下側空間部２９３（図４）を、配管や配線のために活用できる。従って、床下空間４において配管や配線を施す際、蓄熱槽３が障害となることなく、これを合理的に行い得る。又、このように下側空間部２９３が形成されるため、床下空間の底部側における空気の流れを円滑化できる。
【００９３】
以上の説明においては、前記蓄熱体６が温熱を蓄熱して前記空気放出口１１から温風を放出する場合を説明したが、これとは逆に、前記エアコン室内機９の吹出口１０から冷風を吹き出させるときは、前記蓄熱槽３内の蓄熱体６を冷却でき該蓄熱体６に冷熱を蓄熱できることとなる。然して、前記エアコン室内機９を非稼働状態にして前記蓄熱槽３内に常温の空気を吹き出させるときは、該吹き出された空気が前記空気流路１５を通る際に前記蓄熱体６から冷熱を与えられて冷風となり、前記空気放出口１１から冷風が放出されることになる。これにより、前記と同様にして行われる建物内の空気循環によって建物を冷房できることとなる。この場合における各部の温度を例示すれば、エアコン室内機９の吹出口１０から吹き出される空気の温度が６〜１８℃程度で、蓄熱体６の温度が６〜２２℃程度、床下空間４の温度が６〜２２℃程度、一階の居室２８３の温度が２３〜２７℃程度、一階の天井裏空間２６２の温度が２３〜２７℃程度、二階の居室２８８の温度が２４〜２８℃程度、二階の天井裏空間２２６の温度が２４〜２８℃程度である。
【００９４】
なお本実施例においては図５に示すように、前記居間７４から離れた位置にある寝室２９４の下側に存する区画空間部２９５に、別途のエアコン室内機２９６が補助的に設置されている。前記空気放出口１１から放出される温風や冷風だけでは床下空間４の空気の熱量が不足する場合等においてこれを稼働させることにより、床下空間４の空気を補助的に加温し又は冷却できる。例えば、夜間の蓄熱の際に前記空気放出口１１からの温風の放出量が少ない場合は、床下空間４への供給熱量の不足を補うために、該補助的なエアコン室内機２９６から温風を床下に吹き出させることがある。なお、図５に示されている符号２９７は、前記エアコン室内機と前記エアコン室外機とを連結する冷媒の導管である。
【実施例２】
【００９５】
本発明は、前記実施例で示したものに限定されるものでは決してなく、「特許請求の範囲」の記載内で種々の設計変更が可能であることはいうまでもない。その一例を挙げれば次のようである。
【００９６】
(1) 前記蓄熱体６は、前記実施例においては、潜熱蓄熱材を封入してなる蓄熱板１５２を水平方向と上下方向に並設することにより構成されているが、その他、セメント板やレンガ板等の各種の蓄熱板を用いて構成することも可能である。
【００９７】
(2) 図２４〜２６は、前記蓄熱板１５２の前記隅切り面１６１の他の態様を、四つの隅切り面１６１，１６１，１６１，１６１が前記蓄熱板支持部材１５３の前記柱状片１７０の側面１７１に当接した状態で示すものである。該隅切り面１６１は、図２４においては直線状面を呈し、図２５においては円弧状面を呈し、図２６においては直角の入隅面状を呈する。
【００９８】
(3) 図２７〜２８は、本発明に係る蓄熱板部積層構造１の他の実施例を説明する説明図である。前記と同様構成の蓄熱板１５２を支持する蓄熱板支持部材１５３は、図２８（Ａ）に示すように、例えば、平面視で一辺が４０ｍｍの正方形状を呈し且つ厚さが１５ｍｍである正方形板状の間隔保持用の台座片１６７の上面部の中央部位に、平面視で一辺が１８ｍｍの正方形状を呈し且つ高さが２０ｍｍである位置規制用の角柱状の柱状片１７０が突設されてなる。該台座片１６７と該柱状片１７０の軸線は合致している。
【００９９】
図２７、図２８（Ｂ）は、該蓄熱板支持部材１５３を、前記蓄熱板１５２の四つのコーナ部分１５９，１５９，１５９，１５９が集合する部位に介在させ、且つ、隣り合う蓄熱板１５２，１５２の短辺側の側面１７２，１７２相互及び長辺側の側面１７３，１７３相互を当接させることによって、前記蓄熱板１５２を水平に敷き並べて蓄熱板部１４９を構成した状態を示している。この状態で、前記台座片１６７の、前記柱状片１７０の周辺をなす前記支持面（前記上面部）１６９で、前記４枚の蓄熱板１５２のコーナ部分１５９，１５９，１５９，１５９が下方から支持されると共に、前記隅切り面１６１，１６１，１６１，１６１が該柱状片１７０の側面１７１に当接した状態にある。これによって、蓄熱板部１４９を構成する各蓄熱板１５２が所要に位置決めされて敷き並べられた状態となっている。詰まり、該柱状片１７０を定規にして各蓄熱板１５２が位置決めされている。そして図２７の右側部分には、前記蓄熱板支持部材１５３を介して、同様にして前記蓄熱板１５２を２段積みした状態が示されている。
【０１００】
本実施例においては、前記蓄熱板支持部材１５３を、４枚の前記蓄熱板１５２の四つのコーナ部分１５９に介在させるため、今、前記エアコン室内機９の吹出口１０から前記蓄熱槽３内に、図２９に矢印で示す方向に空気が吹き出されたとすれば、前記正方形板状を呈する前記台座片１６７の、隣り合う二つの側面２０４，２０８が、同図に示すように、風に向って山形を呈する（前後方向Ｆ１に対して４５度傾斜した山形状面４０２を呈する）こととなる。これによって、前記横方向空気流路１５０を流れる空気が該山形状面４０２によって左右に分かれて流れるため、該横方向空気流路１５０を空気が流れる際の抵抗を極力減少させることができて好ましい。なお、図２９においては、前記蓄熱板１５２の表面の前記凹部１５７を省略している。
【０１０１】
(4) 図３０〜３１は、本発明に係る蓄熱板部積層構造１の他の実施例を説明する説明図である。ここで用いられている蓄熱板支持部材１５３は、間隔保持用の例えば円板状を呈する台座片１６７の上面部の中央部位に、位置規制用の例えば円柱状の柱状片１７０が上方に向けて突設されると共に、該台座片１６７の下面部の中央部に、例えば円柱状を呈する固定突部１８４が下方に向けて突設されている。そして、該柱状片１７０と該固定突部１８４の突出長さは、共に、前記蓄熱板１５２の上下方向の厚さの１／２に等しいか或いはそれよりも小さく設定されている。本実施例においては、前記蓄熱板１５２の該厚さの１／２に設定されている。そして、前記台座片１６７と前記柱状片１７０と前記固定突部１８４の軸線は合致している。又本実施例においては、前記固定突部１８４の側面２４８が、前記四つのコーナ部分１５９，１５９，１５９，１５９の前記隅切り面１６１，１６１，１６１，１６１に当接する如くなされている。
【０１０２】
然して、かかる蓄熱板支持部材１５３を用いて前記蓄熱板部１４９を構成するに際しては、前記と同様にして、図３１、図３０（Ｃ）に示す如く、４枚の蓄熱板１５２，１５２，１５２，１５２の四つのコーナ部分１５９，１５９，１５９，１５９が集合する部位に該蓄熱板支持部材１５３を介在させる。これによって、１段目の蓄熱板部１４９が構成されるのであるが、図３０（Ｃ）に示すように、その下面１８８の下方に向けて前記固定突部１８４が突出状態となる。各固定突部１８４は、構成される蓄熱体６の下端下方に前記結露水排水路１７７を形成する。
【０１０３】
そして該１段目の蓄熱板部１４９の上面側には、図３０（Ｃ）、図３１に示すように、前記四つのコーナ部分１５９，１５９，１５９，１５９の集合する部位で、前記柱状片１７０の上端の上方に、前記蓄熱板１５２の高さ（上下方向の厚さ）の１／２程度の深さを有する固定凹部１９４が夫々形成されることになる。そこで、２段目の蓄熱板部１４９を構成する際に、前記蓄熱板支持部材１５３の前記固定突部１８４を該固定凹部１９４に嵌入する。これにより、前記固定突部１８４の側面２４８が、前記四つのコーナ部分１５９，１５９，１５９，１５９の前記隅切り面１６１，１６１，１６１，１６１に当接すると共に、前記台座片１６７の前記固定突部１８４の周辺をなす前記支持面（前記上面部）１６９が前記四つのコーナ部分１５９，１５９，１５９，１５９の上面１３８に当接して、該蓄熱板支持部材１５３の水平面内における位置が安定状態で固定されることとなる。この状態で、該蓄熱板支持部材１５３の有する前記柱状片１７０を前記と同様に定規として機能させ、前記台座片１６７の支持面１６９で前記四つのコーナ部分１５９，１５９，１５９，１５９を下方から支持する。これによって２段目の蓄熱板部１４９を構成できることとなる。
【０１０４】
これを繰り返すことによって前記蓄熱体６を構成できる。本実施例においては、蓄熱板支持部材１５３が固定突部１８４を具えるため、２段目以降の蓄熱板部１４９を形成するに際し、該蓄熱板支持部材１５３を下の段の蓄熱板部１４９に水平面内で固定状態にできることから、その形成作業を容易且つ能率的に行うことができる。
【０１０５】
図３２は、かかる構成を有する蓄熱板支持部材１５３の他の態様を示すものであり、前記台座片１６７が正方形板状を呈すると共に、前記柱状片１７０と前記固定突部１８４が、平面視で正方形状を呈する角柱状に構成されている。図３３は、該蓄熱板支持部材１５３を用いて蓄熱板部積層構造１を構成する場合の説明図である。この場合も、図３０（Ｃ）に基づいて説明したところと同様に、前記固定突部１８４の側面２４８が、前記四つのコーナ部分１５９の前記隅切り面１６１に当接する如くなされている。そして、前記台座片１６７と前記柱状片１７０と前記固定突部１８４の軸線は合致している。
【０１０６】
本実施例においては、前記柱状片１７０と前記固定突部１８４の突出長さを等しく設定しているが、該柱状片１７０と該固定突部１８４の突出長さの合計が前記蓄熱板１５２の上下方向の厚さに等しいかそれ以下であるならば、該柱状片と該固定突部の突出長さが異なってもよい。
【０１０７】
(5) 図３４〜３５は、前記蓄熱板支持部材１５３のその他の態様を示すものである。図３４においては、円板状の台座片１６７の上面部の中央部に、平面視で正方形状を呈する角柱状の柱状片１７０が突設されてなり、図３５においては、正方形板状を呈する台座片１６７の上面部の中央部に、円柱状を呈する柱状片１７０が突設されてなる。そして、該台座片１６７の、該柱状片１７０の周辺に前記支持面（前記上面部）１６９が形成されている。
【０１０８】
前記蓄熱板支持部材１５３において、前記台座片１６７の形態は、４枚の蓄熱板の四つのコーナ部分が集合する部位に配設されて該四つのコーナ部分を前記支持面１６９で下方から支持できる限り任意に設定できる。又、前記柱状片１７０は、前記隅切り面１６１と当接し得る側面１７１を具えているものであれば、その側面形態は任意である。図３６には、その平面視形態の一例が示されており、図３６（Ａ）にあっては八角形状に形成されており、図３６（Ｂ）にあっては角丸の正方形状に形成されており、図３６（Ｃ）にあっては小判形に形成されている。
【０１０９】
そして、図３４〜３６においても、前記と同様にして固定突部１８４を突設できる。
【０１１０】
(6) 前記蓄熱板部１４９の積層形態によっては、図１に示されている上下段の蓄熱板支持部材１５３，１５３の軸線Ｌ７とＬ８とが位置ずれすることもある。
【０１１１】
(7) 図３７、図３８（Ａ）（Ｂ）（Ｃ）は、前記蓄熱板支持部材１５３の前記支持面１６９に、前記４枚の蓄熱板１５２，１５２，１５２，１５２のコーナ部分１５９，１５９，１５９，１５９の下面に設けた係合凸部２９７を嵌め入れるための係合凹部２９８を設けた場合を示している。そして図３９（Ａ）（Ｂ）は、該係合凸部２９７が該係合凹部２９８に嵌まり合った状態で前記支持面１６９が前記４枚の蓄熱板１５２，１５２，１５２，１５２のコーナ部分１５９，１５９，１５９，１５９を支持した状態を、円板状を呈する台座片１６７を具える蓄熱板支持部材１５３に代表させて示すものである。
【０１１２】
このように構成した場合は、前記蓄熱板部１４９を構成する各蓄熱板１５２が位置ずれしにくく、例えば地震発生時においても、蓄熱槽３内の蓄熱体６の形崩れが生じにくい。
【０１１３】
図４０（Ａ）（Ｂ）、図４１は、前記蓄熱板支持部材１５３の前記支持面１６９に、前記コーナ部分１５９の下面に設けた係合凹部２９８に嵌め入れられる係合凸部２９７を設けた場合を示している。
【０１１４】
その他、前記支持面１６９に係合凸部２９７又は係合凹部２９８を設ける構成は、例えば図３４〜３６等に示すような各種形態の蓄熱板支持部材１５３に応用できる。
【０１１５】
(8) 前記支持面１６９に、前記係合凸部２９７又は前記係合凹部２９８を設けることに加えて、前記台座片１６７の下面３０８にも、前記コーナ部分１５９の上面に設けた係合凸部又は係合凹部を嵌め入れるための係合凹部又は係合凸部を設けることがある。図４２は、前記台座片１６７の水平な下面３０８に設けた係合突部３０４を嵌め入れるための係合凹部３１８を前記コーナ部分１５９の上面に設けた場合を示している。このように構成する場合は、該台座片１６７を前記蓄熱板部１４９上で、より滑りにくくなし得て好ましい。
【０１１６】
(9) 図４３（Ａ）（Ｂ）、図４４（Ａ）（Ｂ）は、本発明に係る蓄熱板支持部材１５３のその他の実施例を示すものであり、前記台座片１６７の上下方向の中間部分が細軸状に形成された場合の一例である。これらの図においては、例えば同径円板状である支持片１６７ａと載置片１６７ｂの対向する中央部位相互がこれらよりも小径の軸部１６７ｃで連結されており、該支持片１６７ａの上面の、前記柱状片１７０の周辺が前記支持面１６９とされると共に、前記載置片１６７ｂの下面３２４が前記蓄熱板部１４９の上面３２８に当接する。なお、前記台座片１６７は、平面視で円形状を呈する他、平面視で正方形状等を呈してもよい。このように構成する場合は、上下の蓄熱板部１４９，１４９間の横方向空気流路１５０を空気が流れる際の抵抗を、該台座片１６７の中間部分が細軸である分だけ減少させることができて好ましい。
【０１１７】
(10)図４５（Ａ）、図４６（Ａ）、図４７（Ａ）は、矩形板状の蓄熱板を下方から支持する前記蓄熱板支持部材１５３のその他の態様を示すものであり、前記台座片１６７の上面部に十字枠状の柱状片１７０が設けられている。そして図４５（Ｂ）（Ｃ）、図４６（Ｂ）（Ｃ）、図４７（Ｂ）（Ｃ）に示すように、該柱状片１７０の周辺をなす支持面１６９で、前記４枚の蓄熱板１５２，１５２，１５２，１５２の四つのコーナ部分１５９，１５９，１５９，１５９を下方から支持できる。本実施例においては、図４５（Ｂ）（Ｃ）に示すように、四つのコーナ部分１５９，１５９，１５９，１５９の夫々が、前記十字枠状の柱状片１７０が構成する四つの区画部３６８，３６８，３６８，３６８の夫々に収容状態となる。なお図４５（Ｂ）は、前記コーナ部分１５９が隅切り面１６１を有する場合であり、図４５（Ｃ）は、前記コーナ部分１５９が隅切り面１６１を有さない場合であり、何れも、該コーナ部分１５９が前記柱状片１７０に当接している。
【０１１８】
これらの状態において、前記４枚の蓄熱板１５２，１５２，１５２，１５２が前後方向及び左右方向で相互が、前記柱状片１７０を構成する十字片１７０ａ（図４５（Ａ）、図４６（Ａ）、図４７（Ａ））の厚さに相当する間隙（例えば１〜２ｍｍ程度の間隙）３７４を隔てて向き合う状態を呈している。該間隙３７４は、前記した縦方向空気流路２１２を形成するために役立つ。
【０１１９】
図４８は、前記と同様にして、前記台座片１６７の下面部に十字状の固定突部１８４を突設した場合の一例を示しており、本実施例においては、該固定突部１８４と前記柱状片１７０の突出長さは、前記蓄熱板１５２の上下方向の厚さの１／２に等しいか或いはそれよりも小さく設定されている。本実施例においては１／２に設定されている。そして、前記台座片１６７と前記柱状片１７０と前記固定突部１８４の軸線が合致すると共に、該柱状片１７０と該固定突部１８４の、平面視での十字の向きが合致している。図４８（Ｂ）は、前記４枚の蓄熱板１５２，１５２，１５２，１５２の四つのコーナ部分１５９，１５９，１５９，１５９が集合する部位に形成された十字状の固定凹部１９４に前記固定突部１８４を嵌入させた状態を示している。
【０１２０】
(11)本発明に係る蓄熱板支持部材１５３の材料としては、樹脂や金属、木質材、その他の所要強度を有するものを採用できる。
【０１２１】
(12)前記蓄熱装置Ａを構成する前記蓄熱槽３は、図４９や図５０に示すように、建物の床下空間４の底部２３上に設置されることもある。図４９は、蓋板３００で上部２９が閉じられてなる箱状の蓄熱槽３内に蓄熱体６が納設状態とされた場合を示している。又図５０は、樹脂シート３０７を用いて蓄熱槽３を構成した場合を示し、蓄熱体６の表面を該樹脂シート３０７でカバーすることによって、蓄熱槽３内に蓄熱体６が納設状態とされている。そして、これらの蓄熱体６は、何れも、前記と同様構成の蓄熱板部積層構造１を用いて構成されている。
【０１２２】
(13)前記蓄熱装置Ａは、その他、例えばマンションの上下の階の間をなす中間空間（即ち、下の階から見れば天井裏の空間であり、上の階から見れば床下の空間）に配設されることもある。この場合、前記蓄熱槽３や前記エアコン室内機９は、該中間空間で吊下状態に設けるのがよい。前記蓄熱装置Ａの配設場所は、これを建物に設ける場合、前記した居間の下側をなす区画空間部の他、ダイニングや寝室の下側をなす区画空間部等、暖房や冷房を必要とする各場所に設定できる。又、該蓄熱装置Ａが、これらの複数の区画空間部に設けられることもある。本発明に係る蓄熱装置Ａが前記床下空間４に応用された場合、前記蓄熱槽３は床下空間に配設されても、前記エアコン室内機９は、床上等の床下空間以外の場所に配設されることもある。又、該蓄熱装置Ａは、居室等の床上に設置されることがある他、ビニールハウス等の温室に設置されることもある。前記蓄熱槽３の平面視での形態は、前記したような矩形状を呈するものは限られない。前記建物は、二階建ての建物の他、一階建ての建物や３階以上の建物を含む。又該建物は、住宅の他、学校や工場等も含む。
【０１２３】
そして、これらの蓄熱装置Ａを構成する蓄熱槽３内に納設状態とされる蓄熱体６も、前記と同様構成の蓄熱板部積層構造１を用いて構成できる。
【符号の説明】
【０１２４】
１  蓄熱板部積層構造
Ａ  蓄熱装置
２  囲壁部
３  蓄熱槽
４  床下空間
６  蓄熱体
７  前部
９  エアコン室内機
１０  吹出口
１１  空気放出口
１２  後部
１３  空気反射部
１５  空気流路
１６  布基礎
１７  大引
１９  束
２７  横架材
３０  床部
４２  逃がし筒部
４９  有底箱体
７６  土台
７７  支持棒材
１４６  空気放出具
１４９  蓄熱板部
１５０  横方向空気流路
１５２  蓄熱板
１５３  蓄熱板支持部材
１５９  コーナ部分
１６１  隅切り面
１６２  注入用凹部
１６７  台座片
１６８  間隔保持片
１７０  柱状片
１８４  固定突部
２０９  前側の連通空間
２１１  混合空間
２１２  縦方向空気流路
２１９  吸込口
２２０  建物の空調設備
２２２  布基礎の途切れた部分
２２４  建物
２２５  内部空間
２２６  二階の天井裏空間
２２７  第１の縦ダクト
２２９  エアコン室外機
２３１  第２の縦ダクト
２３２  外気導入孔
２４８  外面
２５９  一階の壁体
２６０  欠切状部
２６２  一階の天井裏空間
２６６  二階の壁体
２６９  壁内通気路
２７３  空気流入開口
２７７  空気流入開口
２７９  空気排出開口
２８０  空気排出開口
２８５  空気流入口
２８７  空気流出口
２９０  空気流入口
２９２  空気流出口
２９７  係合凸部
２９８  係合凹部
４０５  方向規制ガイド面
４３１  通気開口
【図１】
2014228231.tif 000003
【図２】
2014228231.tif 000004
【図３】
2014228231.tif 000005
【図４】
2014228231.tif 000006
【図５】
2014228231.tif 000007
【図６】
2014228231.tif 000008
【図７】
2014228231.tif 000009
【図８】
2014228231.tif 000010
【図９】
2014228231.tif 000011
【図１０】
2014228231.tif 000012
【図１１】
2014228231.tif 000013
【図１２】
2014228231.tif 000014
【図１３】
2014228231.tif 000015
【図１４】
2014228231.tif 000016
【図１５】
2014228231.tif 000017
【図１６】
2014228231.tif 000018
【図１７】
2014228231.tif 000019
【図１８】
2014228231.tif 000020
【図１９】
2014228231.tif 000021
【図２０】
2014228231.tif 000022
【図２１】
2014228231.tif 000023
【図２２】
2014228231.tif 000024
【図２３】
2014228231.tif 000025
【図２４】
2014228231.tif 000026
【図２５】
2014228231.tif 000027
【図２６】
2014228231.tif 000028
【図２７】
2014228231.tif 000029
【図２８】
2014228231.tif 000030
【図２９】
2014228231.tif 000031
【図３０】
2014228231.tif 000032
【図３１】
2014228231.tif 000033
【図３２】
2014228231.tif 000034
【図３３】
2014228231.tif 000035
【図３４】
2014228231.tif 000036
【図３５】
2014228231.tif 000037
【図３６】
2014228231.tif 000038
【図３７】
2014228231.tif 000039
【図３８】
2014228231.tif 000040
【図３９】
2014228231.tif 000041
【図４０】
2014228231.tif 000042
【図４１】
2014228231.tif 000043
【図４２】
2014228231.tif 000044
【図４３】
2014228231.tif 000045
【図４４】
2014228231.tif 000046
【図４５】
2014228231.tif 000047
【図４６】
2014228231.tif 000048
【図４７】
2014228231.tif 000049
【図４８】
2014228231.tif 000050
【図４９】
2014228231.tif 000051
【図５０】
2014228231.tif 000052
【図５１】
2014228231.tif 000053
【図５２】
2014228231.tif 000054